(57)【要約】【課題】  絶縁切換軸の作動可能性の場合には、唯一のタップ切換器ヘッドにより実現できるタップ切換器を提供すること。【解決手段】  この発明はステージ変圧器にて出力なしに切換えるタップ切換器に関し、タップ切換器が外方へ案内する駆動軸が支承されているヘッドフランジを有するタップ切換器ヘッドにより上部を閉鎖される。公知の上伝動装置ステージ並びにハンドル駆動部は、更に異なる構成部材、特に特殊なタップ切換器ヘッドを必要とすることなしに、互換性のあるハンドル駆動フランジによってこのヘッドフランジに組立てられ得る。
2008532303.tif 000002
【特許請求の範囲】
【請求項１】
電圧を調整するタップ変圧器の異なる捲線タップの間で出力なしに切換えるタップ切換器において、固定接点が絶縁材料ハウジングにて少なくとも一つの水平平面に円形状に配置されていて、回転可能な絶縁切換軸が内部に配置され且つ各水平平面で少なくとも一つの切換接点を保持し、この切換接点により対応する固定接点が電気接続できて、タップ切換器が絶縁切換軸を駆動するマルタ伝動装置（９、１１）を有するタップ切換器ヘッド（１）によって天部を閉鎖され、マルタ伝動装置（９、１１）自体が自由端によりタップ切換器ヘッド（１）から縦方向上方に外へ突き出し、さらに複数の固定ねじ孔（３）を有するヘッドフランジ（２）内に支承されている駆動軸（７）によって駆動でき、ヘッドフランジ（２）上には選択的にそれ自体公知の上伝動装置ステージ段（４）或いはハンドル駆動部が固定ねじ孔（３）に固定でき、ハンドル駆動部がヘッドフランジ（２）にねじ止めできるハンドル駆動フランジ（１４）を有し、ハンドル駆動フランジ（１４）は駆動軸（７）が貫通されている上カバー（１５）を有し、ハンドル（１６）或いは六辺アダプター（２１）が駆動軸（７）の上自由端に固定されていることを特徴とするタップ切換器。
【請求項２】
ハンドル（１６）或いは六辺アダプター（２１）は駆動軸（７）に配置された前面ねじにねじ止めされたボルト（１８、２２）によって固定されていることを特徴とする請求項１に記載のタップ切換器。
【発明の詳細な説明】
【技術分野】
【０００１】
この発明は、電圧を調整するタップ変圧器の異なる捲線タップの間で出力なしに切換えるタップ切換器に関する。
【背景技術】
【０００２】
そのようなタップ切換器は、出願人の会社印刷物「タップ切換器・データップ（ＤＥＥＴＡＰ＝登録商標）、操作マニュアルＢＡ２４９／２００ｄｅ」印刷物０２０４／２００（非特許文献１）から既に知られている。この公知のタップ切換器は回転式タップ切換器の原理に基づいて作動される。このタップ切換器は絶縁材料ハウジングを有し、このハウジングには複数の水平平面においてそれぞれ円形固定接点が配置されている。この絶縁材料ハウジングの内部には、回転可能な絶縁切換軸が存在し、切換軸は各水平平面において少なくとも一つの切換接点を支持し、その切換接点によって対応する固定接点が、例えばスター点タップ切換器、簡単な中心タップ切換器、二重中心タップ切換器、直列ー並列タップ切換器、スターデルタタップ切換器としての各基礎回路に依存して種々の形式に切換えできる。
【０００３】
一つの作動状態から他の切換状態、即ち接続されたステージ変圧器の異なる捲線タップの間の切換状態へのタップ切換器の調整は、変圧器が遮断される場合に、即ち電流や電圧のない状態では、絶縁切換軸の回転によって作用される。絶縁切換軸の回転は、通常には、階段状伝動装置で行われ、次に詳細に説明されるように、その伝動装置には電気モータ駆動部或いは機械的手動駆動部が作用する。
【０００４】
公知のタップ切換器の上閉鎖部を、取り付けられた上伝動装置ステージとその下に存在して絶縁切換軸を駆動するマルタ伝動装置とを備えるタップ切換器ヘッドが形成する。上伝動装置ステージにおける外部軸クラッチには、それぞれのモータ駆動部或いは手動駆動部から来る軸が接続されていて；回転運動は上伝動装置ステージにてスクリュウー伝動装置を介して垂直にタップ切換器ヘッドに支承された駆動軸に伝達され、その駆動軸はさらにその下端にはマルタクランクを有する。このマルタクランクは上端において絶縁切換軸に配置されているマルタ歯車に係合する。
【０００５】
それ故に、タップ切換器の切換え、即ちそれぞれの隣接した固定接点に対して一定角度だけの絶縁切換軸の回転は、モータ駆動部或いは手動駆動部の駆動する軸の一定のタイプ依存の数の旋回に一致する。
【０００６】
或る態様の公知のタップ切換器はその代わりに特殊な構造としてハンドルによって絶縁切換軸の直接機械的作動可能性を有し、ハンドルは絶縁切換軸と連結され、ソケットレンチに関連してタップ切換器ヘッド或いは六角に中央に配列されている。直接中央接続部によって、特殊なタップ切換器ヘッドはこれら構造のために必要とされている。これは他の等しいタップ切換器の必要な部品の望まれない態様の複製物を導く。
【非特許文献１】「タップ切換器・データップ、操作マニュアルＢＡ２４９／２００ｄｅ」印刷物０２０４／２００
【特許文献１】ドイツ特許第４５４８２１明細書
【特許文献２】スイス特許第３３１１１４明細書
【発明の開示】
【発明が解決しようとする課題】
【０００７】
それ故に、この発明の課題は、これらの欠点を回避して、絶縁切換軸のあらゆる記載された作動可能性の場合には、唯一のタップ切換器ヘッドにより実現できる前記種類のタップ切換器を提供することである。
【課題を解決するための手段】
【０００８】
この課題は、第一特許請求項の特徴部分を備えるタップ切換器によって解決される。従属請求項はこの発明の特に好ましい実施態様に関する。
【０００９】
この発明によるタップ切換器は、選択的にモータ駆動部或いは手動駆動部によって操作する上伝動装置ステージ或いはハンドルによって或いは六辺アダプターによって操作するハンドル駆動フランジが固定され得るヘッドフランジを備える唯一個のみのタップ切換器ヘッドを有する。記載されたように、下端にマルタクランクを支持する駆動軸も、あらゆる操作態様では等しい。    
【発明を実施するための最良の形態】
【００１０】
この発明は次に実施例によって更に詳細に説明されている。
【実施例】
【００１１】
まず最初に図１が説明されている。ここではタップ切換器ヘッド１が示され、このタップ切換器ヘッドは複数の同心円に配置された固定ねじ孔３を備えるヘッドフランジ２を有する。ヘッドフランジ２には、上伝動装置ステージ４が組立てられている。この上伝動装置ステージ４はそれ自体公知の方法で図示されていないモータ駆動部或いは手動駆動部から来る軸と連結されているスクリュウー歯車５を有する。スクリュウー歯車５は縦に延びている駆動軸７に固定されている平歯車６に作用する。回転阻止はばね／溝結合部８によって行われる。駆動軸７はヘッドフランジ２に支承されている。下端では駆動軸７にマスタクランク９が固定されていて；回転を阻止するために、別のばね／溝結合部１０が用いられる。このマスタクランク９は、フランジ１２によりここでは図示されていない絶縁切換軸の上部分に固定されているマスタ歯車１１に作用する。上方には上伝動装置ステージ４がカバー１３によって閉鎖されている。この図に図示された実施態様では、タップ切換器の駆動は立体的に配置されたモータ駆動部或いは手動駆動部によって行われ、回転運動は適切な軸列によって上伝動装置ステージ４のスクリュウー歯車５に伝達される。
【００１２】
図２では、選択的に使用できるハンドル駆動部の成分が示されている。そのために、同様にヘッドフランジ２にーここでは示されていないー固定でき且つ駆動軸７が支承されているハンドル駆動フランジ１４が設けられている。このハンドル駆動フランジ１４は駆動軸７が貫通されている上カバー１５を有する。上端ではハンドル１６が駆動軸７に固定されている。固定は駆動軸７の前側におけるねじ１７によって行われる；ボルト１８によってハンドル１６が固定されている；ここでも、回転を阻止するために、ばね／溝結合部１９が設けられ、その立体的状態には図１のばね／溝結合部８と一致する。意図されない調整を阻止するために、安全錠２０が設けられ得る。
【００１３】
図３では、選択的に使用できる六辺駆動部が示されている。六辺駆動部は更に駆動軸７が支承されているハンドル駆動フランジ１４を有する。しかしながら、ハンドルの代わりにここではカバー１５が六辺アダプー２１を更にボルト２２によって駆動軸７のねじ１７に固定されている。
【００１４】
図４では、もう一度、この発明によるタップ切換器の全タップ切換器ヘッドがここでは組立てられたハンドル駆動部を備えて示されている。ヘッドフランジ２並びに全タップ切換器ヘッド１は図１に説明されて上伝動装置ステージを備える実施態様と完全に等しいことを企図する。上伝動装置ステージの代わりにここではヘッドフランジ２にはハンドル駆動フランジ１４が組立てられる。ハンドル１６は駆動軸７と下端に配置されたマルタクランク９とに作用し；このマルタクランクは更にマルタ歯車１１とそれに伴う絶縁切換軸とに作用する。この表現では、完全を期すために、追加的に配置されて公知の切換監視装置２３が示されるけれども、この切換監視装置はこの発明にとって重要ではなく、それ故に、詳細には説明されていない。
【００１５】
この発明によるタップ切換器では、駆動がモータ駆動部或いは手動駆動部と適切な上伝動装置ステージ或いはハンドル駆動部或いは六辺駆動部によって行われるか否かと無関係に、いつも回転運動の同じ伝達機構が生じる；駆動軸７からマルタクランク９を介してマルタ歯車８へ、そこから絶縁切換軸へ伝達することを企図する。それは、各種の操作ではタップ切換器の操作を実施するために、同じ数の旋回が必要であることを生じる。この発明によるタップ切換器では、タイプ態様が全体に実質的に減少された；ヘッドフランジ２はアダプーの機能を有し、ハンドル１６と六辺アダプー２１自体のほかに、更に異なる構成部材を必要とすることなしに、選択的に上伝動装置ステージ４或いはハンドル駆動フランジ１４に組立てられ得ることを企図する。
【図面の簡単な説明】
【００１６】
【図１】ヘッドフランジに組立てた上伝動装置ステージを備えるこの発明によるタップ切換器のタップ切換器ヘッドの一部を示す。
【図２】上伝動装置ステージの代わりに組立てできるハンドル駆動フランジを備えるハンドル駆動部を示す。
【図３】上伝動装置ステージの代わりに組立てできる更にハンドル駆動フランジを備える六辺駆動部を示す。
【図４】ここではヘッドフランジに組立てたハンドル駆動部を備えるこの発明によるタップ切換器の複雑なタップ切換器ヘッドの横断面を示す。
【符号の説明】
【００１７】
１．．．．．タップ切換器
２．．．．．ヘッドフランジ
３．．．．．固定ねじ孔
４．．．．．上伝動装置ステージ
５．．．．．スクリュウー歯車
６．．．．．歯車
７．．．．．駆動軸
８．．．．．ばね／溝結合部  
９．．．．．マルタクランク
１０．．．．ばね／溝結合部
１１．．．．マルタ歯車
１２．．．．フランジ
１３．．．．カバー
１４．．．．ハンドル駆動フランジ
１５．．．．上カバー
１６．．．．ハンドル
１７．．．．ねじ
１８、２２．．．．ボルト
１９．．．．ばね／溝結合部
２０．．．．安全錠
２１．．．．六辺アダプー
２３．．．．切換監視装置
【図１】
2008532303.tif 000003
【図２】
2008532303.tif 000004
【図３】
2008532303.tif 000005
【図４】
2008532303.tif 000006
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
電圧を調整するステージ変圧器の異なる捲線タップの間で出力なしに切換えるタップ切換器であって、絶縁材料ハウジングには固定接点が少なくとも一つの水平平面に円形状に配置されていて、回転可能な絶縁切換軸が内部に配置され且つ各水平平面で少なくとも一つの切換接点を保持し、この切換接点により対応する固定接点が電気接続できて、タップ切換器が絶縁切換軸を駆動するマルタ伝動装置（９、１１）を有するタップ切換器ヘッド（１）によって上部を閉鎖され、マルタ伝動装置（９、１１）自体が自由端によりタップ切換器ヘッド（１）から縦方向上方に外へ突き出し、さらに複数の固定ねじ孔（３）を有するヘッドフランジ（２）内に支承されている駆動軸（７）によって駆動できるタップ切換器において、ヘッドフランジ（２）上には選択的にそれ自体公知の上伝動装置ステージ段（４）或いはハンドル駆動部が固定ねじ孔（３）に固定でき、ハンドル駆動部がヘッドフランジ（２）にねじ止めできるハンドル駆動フランジ（１４）を有し、ハンドル駆動フランジ（１４）は駆動軸（７）が貫通されている上カバー（１５）を有し、ハンドル（１６）或いは六辺アダプター（２１）が駆動軸（７）の上自由端に固定されていることを特徴とするタップ切換器。
【請求項２】
ハンドル（１６）或いは六辺アダプター（２１）は駆動軸（７）に配置された前面ねじにねじ止めされたボルト（１８、２２）によって固定されていることを特徴とする請求項１に記載のタップ切換器。  
【国際調査報告】
2008532303.tif 000007
2008532303.tif 000008
2008532303.tif 000009
2008532303.tif 000010
2008532303.tif 000011
2008532303.tif 000012